(57)【要約】【課題】省面積化された寝台空間および収納空間の配置構造を提供する。【解決手段】寝台付収納構造１０は、居室１００に設置される構造であって、互いに対向する上板１１および下板１２と、上板１１と下板１２の間に区画される寝台空間１３と、寝台空間を外部から仕切る仕切り壁１７〜１９と、居室１００の床面１０１に載置されて、上板、下板、および仕切り壁を支持する柱状の上下方向支持部材１６と、上板の上側を占める上部収納空間１５と、下板の下側を占める下部収納空間１４とを備える。【選択図】図１
2019126472.tif 000002
【特許請求の範囲】
【請求項１】
居室に設置される構造であって、
互いに対向する上板および下板と、
前記上板と前記下板の間に区画される寝台空間と、
前記寝台空間を外部から仕切る仕切り壁と、
前記居室の床面に載置されて、前記上板、前記下板、および前記仕切り壁を支持する上下方向支持部材と、
前記上板の上側を占める上部収納空間と、
前記下板の下側を占める下部収納空間とを備える、寝台付収納構造。
【請求項２】
前記居室の床面から前記下板の上面までの高さが、３５[ｃｍ]以上６０[ｃｍ]以下の範囲に含まれる、請求項１に記載の寝台付収納構造。
【請求項３】
前記上板および前記下板の間隔が、９０[ｃｍ]以上１５０[ｃｍ]以下の範囲に含まれる、請求項１または２に記載の寝台付収納構造。
【請求項４】
前記上板は、互いに間隔を開けて延びる２本１対の短辺と、互いに間隔を開けて延びる２本１対の長辺を含む形状であり、
前記下板は、互いに間隔を開けて延びる２本１対の短辺と、互いに間隔を開けて延びる２本１対の長辺を含む形状であり、
前記仕切り壁は、前記上板の一方の前記短辺から前記下板の一方の前記短辺までの１面と、前記上板の他方の前記短辺から前記下板の他方の前記短辺までの１面と、前記上板の一方の前記長辺から前記下板の一方の前記長辺までの１面に設けられて前記寝台空間の３面を区画し、
前記上板の他方の前記長辺から前記下板の他方の前記長辺までの１面は前記寝台空間と外部を接続する開口とされる、請求項１〜３のいずれかに記載の寝台付収納構造。
【請求項５】
上端側が前記上板と結合し、下端側が前記下板と結合する補強部材をさらに備える、請求項１〜４のいずれかに記載の寝台付収納構造。
【請求項６】
前記補強部材は、互いに異なる方向に延びる複数の軸材を含み、前記軸材の端部同士が一体結合するラーメン構造である、請求項５に記載の寝台付収納構造。
【請求項７】
請求項４に記載の寝台付収納構造を複数具備し、
前記複数の寝台付収納構造は、前記開口が互いに向き合わないように配列される、寝台付収納構造のレイアウト。
【発明の詳細な説明】
【技術分野】
【０００１】
本発明は、ベッドのような寝台としての機能と、家具のような収納としての機能を併せ持つ構造あるいはそのレイアウトに関する。
【背景技術】
【０００２】
住宅の居室は、３畳、４畳半、６畳というように居室面積を畳の数に換算して設計される。昨今、小家族化や予算の制約等の理由により、小さな面積の居室が主流になっている。また畳１枚当たりの面積が昔よりも小さくされることも多い。
【０００３】
小さな居室に、ベッドや勉強机や家具を配置すると、狭苦しさを感じてしまうという問題がある。
【０００４】
かかる問題を解決する技術として、例えば特開２０１７―６６６４７号（特許文献１）に記載のものが知られる。特許文献１では、集合住宅のリビングルームに隣接して寝室ユニットを設置する。寝室ユニットは、上段の就寝空間と下段の収納空間を備え、これらの空間は横板部材で区切られる。
【先行技術文献】
【特許文献】
【０００５】
【特許文献１】特開２０１７―６６６４７号公報
【発明の概要】
【発明が解決しようとする課題】
【０００６】
特許文献１記載の寝室ユニットは、集合住宅の住戸に組み込まれる間取りの構成単位（ユニット）であって、建築当初から決定され、リビングルーム等の居室とは別個に設けられる。一方で、建築当初からの歳月が経つことによる家族構成の変化や、子供の成長等の理由により、なるべく小さな面積で、居室にベッドや収納家具を配置したいという要望もある。また昨今、居室の天井が高くなる傾向にある。
【０００７】
本発明は、上述の実情に鑑み、既設の住宅にも適用可能な、省面積化された寝台空間および収納空間の配置構造を提供することを目的とする。
【課題を解決するための手段】
【０００８】
この目的のため本発明による寝台付収納構造は、居室に設置される構造であって、互いに対向する上板および下板と、上板と下板の間に区画される寝台空間と、寝台空間を外部から仕切る仕切り壁と、居室の床面に載置されて、上板、下板、および仕切り壁を支持する上下方向支持部材と、上板の上側を占める上部収納空間と、下板の下側を占める下部収納空間とを備える。
【０００９】
かかる本発明によれば、居室において１の寝台と２の収納を上下方向に分けて同じ場所に集約することができ、省面積化される。したがって居室の空き面積を大きくすることができる。また大容量の収納スペースを確保し、さらに寝台を設置しても、居室が狭苦しくなることを回避できる。本発明は、既設の戸建住宅あるいは集合住宅に適用可能である。本発明は、組み立て式家具であってよく、居室の任意の位置に設置可能である。あるいは本発明は、居室に固定されてもよい。仕切り壁は、寝台空間に独立性を付与する。寝台空間に横臥する利用者は安心に満たされ、健やかな睡眠が実現する。
【００１０】
本発明の構造全体の高さは、居室の床面から天井面までの高さ寸法よりも小さいこと勿論であるが、なるべく近づいているのが好ましい。これにより本発明を床面に設置したときに本発明と天井面との隙間を小さくして、各空間の容積を確保することができる。間隔下部収納空間の高さ寸法は特に限定されない。本発明の一局面として、居室の床面から下板の上面までの高さが、３５[ｃｍ]以上６０[ｃｍ]以下の範囲に含まれる。かかる局面によれば、下部収納空間の高さ寸法は６０［ｃｍ］未満となる。そして床面に立つ利用者が自然な動作で下板の上面に着座することができる。本発明の他の局面として、床面から下板の上面までの高さが６０［ｃｍ］を超えてもよいし、あるいは３５［ｃｍ］未満であってもよい。
【００１１】
寝台空間の高さ寸法は特に限定されない。本発明の好ましい局面として、上板および下板の間隔が、９０[ｃｍ]以上１５０[ｃｍ]以下の範囲に含まれる。かかる局面によれば、寝台空間の高さ寸法が利用者の座高よりも大きくなることから、下板に座る利用者の頭部が上板に衝突することを回避できる。他の局面として、上板および下板の間隔が１５０［ｃｍ］を超えてもよいし、あるいは９０［ｃｍ］未満であってもよい。
【００１２】
上板および下板の形状・寸法は特に限定されないが、好ましくは横臥する人間の形状に合わせて縦長の図形にされる。上板および下板は互いに整列していてもよいし、あるいは整列していなくてもよい。上板および下板は同一形状・同一寸法であってもよいし、あるいは異なる寸法であってもよいし、あるいは異なる形状であってもよい。寝台空間を区画する仕切り壁は、利用者の足側、頭側、左側、および右側からなる４面のうち少なくともいずれかに配置されるとよい。
【００１３】
本発明の好ましい局面として、上板は互いに間隔を開けて延びる２本１対の短辺と互いに間隔を開けて延びる２本１対の長辺を含む形状であり、下板は互いに間隔を開けて延びる２本１対の短辺と互いに間隔を開けて延びる２本１対の長辺を含む形状であり、仕切り壁は上板の一方の短辺から下板の一方の短辺までの１面と、上板の他方の短辺から下板の他方の短辺までの１面と、上板の一方の長辺から下板の一方の長辺までの１面に設けられて寝台空間の３面を区画し、上板の他方の長辺から下板の他方の長辺までの１面は寝台空間と外部を接続する開口とされる。
【００１４】
かかる局面によれば、開口の間口が長辺であるから、開口の間口を利用者の身長よりも長くできる。このため寝台空間の利用者は、開口を経由して、寝台空間１３の外部と内部を容易に出入りすることができる。また、かかる局面によれば、３面を覆う仕切り壁によって寝台空間の独立性を高めることができ、利用者は包まれ感を得ることができる。例えば上板および下板は長方形である。あるいは例えば下板は、１本の直線状の長辺と、直線状の長辺に対して直角にそれぞれ延びる２本の直線状の短辺を含み、残りの長辺は円弧状に延びて２本の直線状の短辺の端部とそれぞれ接続する。
【００１５】
より好ましくは、寝台空間の開口にカーテンや幕や簾等の開閉手段を設けるとよい。これにより寝台の独立性を益々高めることができる。他の局面として、３面の仕切り壁を１本の短辺および２本の長辺に設けて残りの短辺を開口にしてもよい。他の局面として、２面の仕切り壁を２本の短辺に設けて２本の長辺を開口にしてもよい。他の局面として、２面の仕切り壁を１本の短辺および１本の長辺に設けて残りの短辺および長辺を開口にしてもよい。他の局面として、１面の仕切り壁を短辺または長辺に設け、残りの３辺を開口にしてもよい。寝台空間からの転落防止のため、開口に柵を立設してもよい。
【００１６】
本発明は上下方向支持部材、例えば柱、によって寝台空間内の利用者や収納空間内の物を支持するための強度を確保される。本発明の一局面として、上端側が上板と結合し下端側が下板と結合する補強部材をさらに備える。かかる局面によれば、寝台空間を区画するフレーム構造あるいは箱構造において、強度が益々大きくなり、地震等の災害によって居室の天井が落下しても寝台空間内の利用者を保護することができる。補強部材の形状および配置は特に限定されない。補強部材は、ボルト等の連結手段で上板や下板に強固に連結固定される。他の局面として補強部材を設けることなく上下方向支持部材のみで寝台空間内の利用者や収納空間内の物を支持してもよい。また他の局面として上板および下板自身の強度（例えば曲げモーメントに対する曲げ強度）を上部収納空間の仕切り壁の強度よりも大きくしてもよい。
【００１７】
上板と補強部材の結合箇所の構造、および下板と補強部材の結合箇所の構造は、特に限定されない。補強部材は、板材であってもよいし、梁及び柱を組み合わせた軸材であってもよいし、ブラケットであってもよいし、構造および形状を特に限定されないが、上下方向支持部材よりも強度が大きいと理解されたい。強度が大きいとは、例えば曲げ強度、剪断強度が大きいこと、断面積が大きいこと等をいう。一局面として補強部材は、互いに異なる方向に延びる複数の軸材を含み、これら軸材の端部同士が一体結合するラーメン構造である。他の局面として補強部材は、互いに異なる方向に延びる複数の軸材を含み、これら軸材の端部同士がピンなどで連結されるトラス構造である。他の局面として補強部材は、集成材からなる厚みの大きな壁板（以下、補強壁板という）である。補強壁板は、１枚よりも、複数枚を箱状に組み合わせたものがよい。補強壁板は、例えば仕切り壁を兼用する。
【００１８】
上述したように寝台空間の３面を仕切り壁で覆い、１面を開口とする場合、本発明の外部から寝台空間の中が見えにくいようにしてプライバシーを守ることが好ましい。本発明のレイアウトは、上述した寝台付収納構造を複数具備し、複数の寝台付収納構造は、開口が互いに向き合わないように配列される。かかる局面によれば、１の居室に複数の寝台付収納構造を設ける場合であっても、１の寝台付収納構造の寝台空間から他の寝台付収納構造の寝台空間の中が見えないので、利用者のプライバシーが守られる。
【発明の効果】
【００１９】
このように本発明によれば、広くない居室であっても、大容量の収納スペースを確保し、さらに寝台を設置しても、居室が狭苦しくなることを回避できる。
【図面の簡単な説明】
【００２０】
【図１】本発明の一実施形態になる寝台付収納構造を示す模式的な斜視図である。
【図２】同実施形態を示す模式図である。
【図３】同実施形態の寝台空間を示す模式図である。
【図４】本発明の一実施形態を示す模式的なレイアウトである。
【図５】補強部材の第１変形例を示す模式的な斜視図である。
【図６】下板の変形例を示す模式的な斜視図である。
【図７】補強部材の第２変形例を示す模式的な斜視図である。
【発明を実施するための形態】
【００２１】
以下、本発明の実施の形態を、図面に基づき詳細に説明する。図１は、本発明の一実施形態になる寝台付収納構造を示す模式的な斜視図である。図１中、可動部には矢印を付している。図２は、同実施形態を示す模式図であって、補強部材の形状および連結状態を表す。本実施形態の寝台付収納構造１０は、寝台構造と収納構造を合体させた構造であり、居室１００（特に住戸の寝室）に設置される。
【００２２】
寝台付収納構造１０は上段、中段、下段からなる三段構造である。隣り合う段同士は上板１１と下板１２で仕切られる。上段と下段の間に介在する中段は、寝台空間１３を構成する。下段は下部収納空間１４を構成する。上段は上部収納空間１５を構成する。下板１２は、下板１２上に横臥する利用者を支持するために十分な寸法および強度を有する。上板１１は平坦であるが、図示しない変形例として曲面を有してもよいし、段差を有してもよい。下板１２は平坦であることが好ましく、水平に設置されることが好ましい。下板１２は、例えば畳１枚分（９１[ｃｍ]×１８２[ｃｍ]）の寸法である。上板１１および下板１２は長方形の板であり、長辺および短辺を同じ寸法に形成される。上板１１および下板１２は上下方向に整列して互いに向き合う。本実施形態では、寝台空間１３、下部収納空間１４、および上部収納空間１５はそれぞれ直方体の空間とされる。
【００２３】
寝台付収納構造１０の四隅には、柱１６（図１に線のみで示す）がそれぞれ立設される。各柱１６は上下方向に真っ直ぐ延びる上下方向支持部材であって、上板１１と、下板１２と、寝台空間１３内の利用者の体重および上部収納空間１５内の物の重量を支持するために十分な強度を有する。各柱１６の下端は、居室１００の床面１０１に接地する。各柱１６の上端は隙間を介して、天井面１０２と対向する。あるいは各柱１６の上端は、上板１１の角部に固定される。柱１６は、例えば机の脚部のように上板１１および下板１２と連結してこれらを支持する。
【００２４】
寝台空間１３は、互いに対向する水平な上板１１および下板１２間を占める。上下方向にみて重なる上板１１の各角部および下板１２の各角部は、柱１６に固定される。上板１１と下板１２の距離は利用者の座高よりも高く設定されるとよい。具体的には９０[ｃｍ]〜１５０[ｃｍ]の範囲に含まれる所定値にされるとよい。下板１２の上面には布団やマットレスが敷設され、かかる布団等に１人の利用者が横臥したり、座ったりすることができる。
【００２５】
床面１０１に立っている利用者が下板１２の上面に容易に座ることができるよう、床面１０１から下板１２の上面までの距離は、３５[ｃｍ]以上６０[ｃｍ]以下の範囲に含まれる所定値にされるとよい。
【００２６】
寝台空間１３は、下板１２の長辺方向両側と、下板１２の短辺方向片側を、仕切り壁１７〜１９で覆われる。仕切り壁１７，１８は同じ寸法にされて長辺方向に互いに向き合う。つまり仕切り壁１７，１８は、寝台空間１３に横臥する利用者（図１に示されない）の頭と足を覆う。仕切り壁１７〜１９はいずれも矩形である。
【００２７】
仕切り壁１７は、上板１１の短辺と、下板１２の短辺と、短辺方向に隣り合う柱１６，１６にそれぞれ固定される。仕切り壁１８も同様である。
【００２８】
仕切り壁１９は、横臥する利用者の左側あるいは右側を覆う。仕切り壁１９、上板１１の長辺と、下板１２の長辺と、長辺方向に隣り合う柱１６，１６にそれぞれ固定される。
【００２９】
仕切り壁１７〜１９は、上板１１を超えて上方へ広がり、例えば天井面１０２まで広がっていてもよい。これにより仕切り壁１７〜１９は、直方体にされた上部収納空間１５の３面を覆う。また仕切り壁１７〜１９は、下板１２を超えて下方へ広がり、例えば床面１０１まで広がっていてもよい。これにより仕切り壁１７〜１９は、直方体にされた下部収納空間１４の３面を覆う。
【００３０】
本実施形態では４本の柱１６を上下方向支持部材として寝台空間１３内の利用者の体重および上部収納空間１５内の物の重量を受け持つ。この場合、仕切り壁１７〜１９の壁厚を小さくできる。このほかにも仕切り壁１７〜１９を上下方向支持部材としてもよい。後者の場合、仕切り壁１７〜１９の壁厚を前者の場合よりも大きくするとよい。
【００３１】
あるいは図示しない変形例として仕切り壁１７〜１９は、寝台空間１３の３面のみを覆い、下部収納空間１４または上部収納空間１５の幾つかの面は開放されていてもよい。
【００３２】
短辺方向の残る片側（仕切り壁１９が設けられない利用者の右側あるいは左側）は開口にされる。利用者は、この開口を経由して、寝台空間１３と外部との間を出入りする。寝台空間１３の独立性向上のため、短辺方向の残る片側にはカーテン２１等の開閉手段を設けるとよい。カーテン２１は、上板１１の一方の長辺に沿って設置されるカーテンレール（図示せず）に沿って展開したり、あるいは縮小したりする。カーテン２１を最大に展開させると、カーテン２１は開口を覆う。これにより、直方体の寝台空間１３を区画する６面は、上板１１、下板１２、仕切り壁１７〜１９、およびカーテン２１によって覆われ、外部から完全に仕切られる。
【００３３】
天井面１０２の下側かつ上板１１の上側を占める上部収納空間１５は、例えば上面を天板２２に覆われる。天板２２は上板１１と略同じ形状・寸法とされる。上部収納空間１５の２辺の長辺および２辺の短辺のうちの３辺には上述した仕切り壁１７〜１９が立設される。残る１辺は開口にされる。かかる開口は２枚の同じ大きさの引き戸２３，２３で覆われる。各引き戸２３は矩形のスライド蓋であって、上板１１の上面に載せられ、上板１１の長辺に沿ってスライド可能である。一方の引き戸２３を長辺方向の一方の柱１６までスライドさせ、他方の引き戸２３を長辺方向の他方の柱１６までスライドさせることで、上部収納空間１５の開口は完全に閉じられる。一方の引き戸２３を他方の引き戸２３に完全に重ねることで、上部収納空間１５の開口は引き戸２３と略同じ大きさで半開する。なお図示しない変形例として、上部収納空間１５の開口にはスクリーン式の扉や幕や簾等の他の開閉手段を設けてもよい。各柱１６の上端は天板２２の各角部に連結固定される。
【００３４】
床面１０１の上側かつ下板１２の下側を占める下部収納空間１４は、例えば下方から地板２４に覆われる。地板２４は下板１２と略同じ形状・寸法とされ、床面１０１に沿って配置される。下部収納空間１４の２辺の長辺および２辺の短辺のうちの３辺には上述した仕切り壁１７〜１９が立設される。残る１辺は開口にされる。かかる開口は幕２５で覆われる。下板１２の長辺には巻き取り軸２６が取り付けられ、幕２５を巻き取り可能である。幕２５を地板２４まで延ばすことで、下部収納空間１４の開口は完全に閉じられる。幕２５を完全に巻き取ることで、下部収納空間１４の開口は略全開にされる。なお図示しない変形例として、下部収納空間１４の開口には引き戸等の他の開閉手段を設けてもよい。
【００３５】
上板１１および下板１２には、図２に示すように、コの字に延びる補強部材３１を設けてもよい。補強部材３１は、短辺と略同じ長さの上横材３１ｂおよび下横材３１ｃと、上下方向に延びる縦材３１ｄからなる。上横材３１ｂは、上板１１の短辺方向に延びて上板１１と連結し、上板１１を下方から支持する。下横材３１ｃは、下板１２の短辺方向に延びて下板１２と連結し、下板１２を下方から支持する。
【００３６】
縦材３１ｄは、仕切り壁１９に沿って延び、縦材３１ｄの上端は上横材３１ｂの一端と一体に結合し、縦材３１ｄの下端は下横材３１ｃの一端と一体に結合する。かかる一体結合によれば、これら端部同士の結合箇所が剛接合になるため、ボルト等による連結と比較して強度が大きくなる。つまり補強部材３１はラーメン構造になる。補強部材３１は、例えば２本用意され、上板１１および下板１２の各短辺に沿って配置される。あるいは補強部材３１は、長辺方向に間隔を開けて複数本配置される。
【００３７】
補強部材３１は、下方から脚部３２，３３に支持される。脚部３２，３３は上下方向に延び、下端で床面１０１に接地し、上端で補強部材３１と結合する。具体的には、脚部３２の上端が下横材３１ｃの一端および縦材３１ｄの下端と一体に結合する。また脚部３３の上端が下横材３１ｃの他端と一体に結合する。
【００３８】
補強部材３１の上横材３１ｂは、上板１１を補強する。補強部材３１の下横材３１ｃは、下板１２を補強する。補強部材３１の縦材３１ｄは上板１１と下板１２の間隔を保持する。これにより補強部材３１は、寝台空間１３を下部収納空間１４および上部収納空間１５よりも強固にする。寝台空間１３は耐震シェルターとして機能する。
【００３９】
地震等によって重量物が１０に飛来して上部収納空間１５が破損・変形しても、寝台空間１３は破損・変形し難くされる。これにより寝台空間１３内の利用者Ｈは保護される。なお縦材３１ｄの本数は限定されないし、補強部材３１の本数は限定されないし、補強部材３１の形状は図２に示すコの字形状に限られない。図示しない変形例として、縦材３１ｄの本数を２本として補強部材３１をロの字形状にしてもよい。
【００４０】
図３は、本実施形態の寝台空間を示す模式図である。上板１１の下面には、空調機器３４が取り付けられる。空調機器３４は寝台空間１３の気温を適切に保持する。仕切り壁１９の内壁面にはバイタル測定機３５が取り付けられる。バイタル測定機３５は、寝台空間１３内の利用者Ｈの健康状態、例えば心拍数や呼吸や体温等、を測定する。上板１１の下面には、モニタ３６が吊り下げ固定される。モニタ３６は、利用者Ｈに各種の情報、例えば空調機器３４の設定状況や、バイタル測定機３５の測定結果や、テレビ番組等、を提供する。
【００４１】
本実施形態によれば、空調機器３４が居室１００全体の気温を調整するのではなく、寝台空間１３のみの気温を調整することから、空調が効率化されて、省エネルギーに資する。また本実施形態によれば、バイタル測定機３５によって、利用者は寝ながらにして体調管理を行える。
【００４２】
図４は、本発明の一実施形態を示す模式的なレイアウトである。本実施形態の寝台付収納構造１０は家具として、居室１００内に複数設置可能である。居室１００は、互いに向き合う内壁面１０３，１０４と、これら内壁面１０３，１０４と直角に接続する内壁面１０５，１０６を有する。内壁面１０５，１０６は互いに向き合う。内壁面１０３の隅には、出入口Ｄが設けられる。
【００４３】
本レイアウトでは、居室１００の出入口Ｄから内壁面１０５に沿って居室１００内を延びる空間を居室内通路Ｃ１として残している。寝台付収納構造１０は、短辺を内壁面１０６に近づけるようにして、互いに間隔をあけて複数配列される。隣り合う寝台付収納構造１０，１０の間は、居室内通路Ｃ２として残している。居室内通路Ｃ２は寝台付収納構造１０の長辺と同じ長さであり、一端が居室内通路Ｃ１と直角に接続し、他端が内壁面１０６で行き止まりにされる。寝台空間１３の開口と、下部収納空間１４の開口と、上部収納空間１５の開口は、居室内通路Ｃ２と隣接する。このため寝台空間１３と、下部収納空間１４と、上部収納空間１５は、図４に矢Ｍで示すように、出入口Ｄから居室内通路Ｃ１，Ｃ２を経由してアクセス可能とされる。居室内通路Ｃ２は個々の寝台付収納構造１０に設けられる。これに対し居室内通路Ｃ１は全ての寝台付収納構造１０に共通する。１の寝台付収納構造１０の開口は、他の寝台付収納構造１０の開口と互いに向き合わない。
【００４４】
次に補強部材の第１変形例を図５の斜視図に示す。図５中、前述した部材と共通する部材については同一の符号を付して説明を省略し、異なる部材につき主に説明する。補強部材３１は軸組構造とされ、直方体の形状を呈し、寝台空間１３を構成する。具体的には、寝台空間１３の４隅に縦材３１ｄ，３１ｆが配置され、寝台空間１３の頂部に１対の上横材３１ｂ，３１ｂおよび１対の長辺部材３１ｇ，３１ｊが配置され、寝台空間１３の底部に１対の下横材３１ｃ，３１ｃおよび１対の長辺部材３１ｋ，３１ｌが配置される。
【００４５】
各上横材３１ｂ，３１ｂは上板１１（図１）の各短辺に沿って水平に延びる。長辺部材３１ｇ，３１ｊは上板１１（図１）の長辺に沿ってそれぞれ水平に延びる。長辺部材３１ｊは開口の上辺を構成する。
【００４６】
各下横材３１ｃ，３１ｃは下板１２（図１）の各短辺に沿って水平に延びる。長辺部材３１ｋ，３１ｌは下板１２（図１）の長辺に沿ってそれぞれ水平に延びる。長辺部材３１ｌは開口の下辺を構成する。
【００４７】
１対の縦材３１ｆ，３１ｆは開口の側辺を構成する。これに対し１対の縦材３１ｄ，３１ｄは仕切り壁１９（図１９）に沿って配置される。
【００４８】
縦材３１ｄの上端は、長辺部材３１ｇの一端および上横材３１ｂの一端と連結する。縦材３１ｆの上端は、長辺部材３１ｊの一端および上横材３１ｂの一端と連結する。縦材３１ｄの下端は、長辺部材３１ｋの一端および下横材３１ｃの一端と連結する。縦材３１ｆの下端は、長辺部材３１ｌの一端および下横材３１ｃの一端と連結する。かかる連結はボルト等の固定具による固定であってもよいし、あるいは一体結合であってもよい。一体結合にすれば、これら端部同士の連結箇所が剛接合になるため、ピンあるいはボルト等による連結と比較して強度が大きくなる。つまり補強部材３１はラーメン構造になる。
【００４９】
図５に示す第１変形例によれば、寝台空間１３の外枠が、強度の大きな補強部材３１で構成されることから、寝台空間１３を耐震シェルターとして利用できる。
【００５０】
次に下板の変形例を図６の斜視図に示す。図６中、下板１２の開口側の長辺は、外部に膨らんだ円弧部材にされる。このように下板１２が開口から外部に突出することにより、寝台空間１３の利用者は開口を経由して寝台空間１３の外部と内部を容易に出入りすることができる。なお図示はしなかったが下板１２の上述した円弧形状の長辺のように、上板１１（図１）の開口側の長辺も、庇のように外部に膨らんだ円弧部材にしてもよい。
【００５１】
次に上板、補強部材、下板、および仕切り壁の第２変形例を図７の斜視図に示す。なお発明の理解を容易にするため、図７では一部を破断して描いている。第２変形例では、寝台空間１３の両端を覆う１対の仕切り壁１７，１８と、仕切り壁１９の側部を覆う仕切り壁１９と、上板１１と、下板１２を木片からなる集成材で構成する。かかる第１変形例によれば、寝台空間１３の仕切り壁１７〜１９と上板１１と下板１２が、強度の大きな補強部材３１を構成することから、寝台空間１３を耐震シェルターとして利用できる。
【００５２】
ところで本実施形態の寝台付収納構造１０は、居室１００に設置される構造であって、互いに対向する上板１１および下板１２と、上板１１と下板１２の間に区画される寝台空間１３と、寝台空間１３を外部から仕切る仕切り壁１７〜１９と、居室１００の床面１０１に載置されて、上板、下板、および仕切り壁を支持する柱１６と、上板１１の上側を占める上部収納空間１５と、下板１２の下側を占める下部収納空間１４とを備える。これにより、居室１００では、１の寝台と２の収納を上下方向に分けて同じ場所に集約することができ、省面積化される。したがって居室１００の空き面積を大きくすることができる。また大容量の収納スペースを確保し、さらに寝台を設置しても、居室１００が狭苦しくなることを回避できる。また寝台空間１３の利用者は、少なくとも１枚の仕切り壁（仕切り壁１７〜１９）によって包まれ感を得られ、安心に満たされた健やかな睡眠が実現する。
【００５３】
また本実施形態の寝台付収納構造１０では、居室１００の床面１０１から下板１２の上面までの高さが、３５[ｃｍ]以上６０[ｃｍ]以下の範囲に含まれることから、床面１０１に立つ利用者が自然な動作で下板１２に腰を降ろすことができる。
【００５４】
また本実施形態の寝台付収納構造１０では、上板１１および下板１２の間隔が、９０[ｃｍ]以上１５０[ｃｍ]以下の範囲に含まれることから、寝台空間１３の高さ寸法が利用者の座高よりも大きくなり、下板１２に座る利用者の頭部が上板１１に衝突することを回避できる。
【００５５】
また本実施形態の寝台付収納構造１０では、上板１１および下板１２は長方形であり、仕切り壁１７〜１９は、かかる長方形の２本の短辺および１本の長辺に沿って設けられて寝台空間１３の３面を区画し、長方形の残る１本の長辺は寝台空間１３の内部と外部を接続する開口とされる。これにより寝台空間１３の開口の間口が利用者の身長よりも長くなるため、寝台空間１３の利用者は、開口を経由して寝台空間１３の外部と内部を容易に出入りすることができる。また本実施形態によれば３面を覆う仕切り壁１７〜１９によって寝台空間１３の独立性を高めることができる。
【００５６】
また本実施形態の寝台付収納構造１０では、上端側が上板１１と連結し、下端側が下板１２と連結する補強部材３１をさらに備えることから、寝台空間１３を区画する箱体の強度を益々大きくすることができる。したがって大地震等で居室１００の天井面１０２が落下しても寝台空間１３内の利用者を保護することができる。
【００５７】
また図４に示す本実施形態のレイアウトでは、寝台付収納構造１０を複数具備し、これらの寝台付収納構造１０は開口が互いに向き合わないように配列されることから、１の居室１００に複数の寝台付収納構造１０を設ける場合であっても、１の寝台付収納構造１０の寝台空間から他の寝台付収納構造１０の寝台空間の中が見えない。したがって利用者のプライバシーが守られる。
【００５８】
以上、図面を参照して本発明の実施の形態を説明したが、本発明は、図示した実施の形態のものに限定されない。図示した実施の形態に対して、本発明と同一の範囲内において、あるいは均等の範囲内において、種々の修正や変形を加えることが可能である。
【産業上の利用可能性】
【００５９】
本発明になる寝台付収納構造は、住宅において有利に利用される。
【符号の説明】
【００６０】
１０  寝台付収納構造、      １１  上板、      １２  下板、      
１３  寝台空間、      １４  下部収納空間、      １５  上部収納空間、      
１６  柱（上下方向支持部材）、      １７，１８，１９  仕切り壁、      
２１  カーテン、      ２２  天板、      ２３  引き戸、      
３１  補強部材、      ３４  空調機器、      ３５  バイタル測定機、      
３６  モニタ。
【図１】
2019126472.tif 000003
【図２】
2019126472.tif 000004
【図３】
2019126472.tif 000005
【図４】
2019126472.tif 000006
【図５】
2019126472.tif 000007
【図６】
2019126472.tif 000008
【図７】
2019126472.tif 000009